(57)【特許請求の範囲】
【請求項１】
支持板に固定され、電気配線される電気部品に該電気部品側から電気部品を覆うように装着されると共に、前記電気部品に接続される配線が導出される孔と、前記電気部品への装着時に前記孔に前記配線を案内するスリットと、前記スリットの反対側に前記孔から延出する切り込みと、を備え、前記スリットを介しての前記孔への配線の導入時には該スリット側方の一部が弾性変形し、前記孔への配線の導入後には前記一部が復元することにより前記孔から導出される前記配線で支承されることを特徴とするカバー。
【請求項２】
電気配線される電気部品に装着されるカバーであって、一枚の板状の樹脂部材を略矩形箱型に折り曲げて形成され、前記部材に前記カバーを略矩形箱型に保持する保持具を一体に形成し、前記保持具は、爪部と、前記爪部が嵌入される嵌入孔とから成り、前記爪部に前記嵌入孔に引掛けられる引掛け部を設け、
支持板に固定され、前記電気部品側から当該電気部品を覆うように装着されると共に、前記電気部品に接続される配線が導出される孔と、前記電気部品への装着時に前記孔に前記配線を案内するスリットと、を備え、前記スリットを介しての前記孔への配線の導入時には該スリット側方の一部が弾性変形し、前記孔への配線の導入後には前記一部が復元することにより前記孔から導出される前記配線で支承されることを特徴とするカバー。
【請求項３】
前記スリットのスリット幅は、前記配線の径より幅狭に形成されることを特徴とする請求項１または２に記載のカバー。
【請求項４】
前記カバーは、上下の面、及び、左右の面がそれぞれ対称に形成されていることを特徴とする請求項１から３のいずれかに記載のカバー。
【請求項５】
筐体内を熱交換室と機械室とに区分けする縦に延びた仕切り板を備え、前記熱交換室に熱交換器及び送風機を収容し、前記機械室に圧縮機及び電装ユニットを収容した空気調和装置の室外ユニットにおいて、
前記筐体の外板に通風口を形成し、前記通風口から導入した空気を前記電装ユニットの背面側に流し、前記電装ユニットに、前記空気の流れに平行な支持板を設け、前記支持板から前記空気の風路上に突出され、電気配線される電気部品に該電気部品側から電気部品を覆うように装着されると共に、前記電気部品に接続される配線が導出される孔と、前記電気部品への装着時に前記孔に前記配線を案内するスリットと、を備え、前記スリットを介しての前記孔への配線の導入時には該スリット側方の一部が弾性変形し、前記孔への配線の導入後には前記一部が復元することにより前記孔から導出される前記配線で支承されるカバーを設けたことを特徴とする空気調和装置の室外ユニット。
【発明の詳細な説明】
【技術分野】
【０００１】
本発明は、電気配線される電気部品に装着されるカバー、及び、電気部品にカバーが装着された空気調和装置の室外ユニットに関する。
【背景技術】
【０００２】
一般に、空気調和装置の室外ユニットでは、電装ユニットに設けられる端子台やマグネットスイッチ等の電気配線される電気部品にカバーを装着して、配線が接続される接点への塵や埃の付着を防止している。電気部品の接点には配線を接続する必要がある為、この種のカバーには、配線の接続位置を臨ませた開口部が形成されている（例えば、特許文献１参照）。
【先行技術文献】
【特許文献】
【０００３】
【特許文献１】特開２０１０−７８２０３号公報
【発明の概要】
【発明が解決しようとする課題】
【０００４】
しかしながら、カバーの開口部が、配線の接続位置に臨むため、接点への塵や埃の付着を効果的に防止することができなかった。また、この種のカバーは、固定用のねじ等で固定されていたため、脱着を容易に行うことができず、電気部品のメンテナンス性を低下させていた。
本発明の目的は、上述の事情を考慮してなされたものであり、電気配線される電気部品の接点への塵や埃の付着を防止し、また、電気部品のメンテナンス性を向上することができるカバー、及び、カバーが装着された空気調和装置の室外ユニットを提供することにある。
【課題を解決するための手段】
【０００５】
上記課題を解決するため、本発明は、カバーであって、支持板に固定され、電気配線される電気部品に該電気部品側から電気部品を覆うように装着されると共に、前記電気部品に接続される配線が導出される孔と、前記電気部品への装着時に前記孔に前記配線を案内するスリットと、前記スリットの反対側に前記孔から延出する切り込みと、を備え、前記スリットを介しての前記孔への配線の導入時には該スリット側方の一部が弾性変形し、前記孔への配線の導入後には前記一部が復元することにより前記孔から導出される前記配線で支承されることを特徴とする。
【０００６】
また、上記課題を解決するため、本発明は、電気配線される電気部品に装着されるカバーであって、一枚の板状の樹脂部材を略矩形箱型に折り曲げて形成され、前記部材に前記カバーを略矩形箱型に保持する保持具を一体に形成し、前記保持具は、爪部と、前記爪部が嵌入される嵌入孔とから成り、前記爪部に前記嵌入孔に引掛けられる引掛け部を設け、支持板に固定され、前記電気部品側から当該電気部品を覆うように装着されると共に、前記電気部品に接続される配線が導出される孔と、前記電気部品への装着時に前記孔に前記配線を案内するスリットと、を備え、前記スリットを介しての前記孔への配線の導入時には該スリット側方の一部が弾性変形し、前記孔への配線の導入後には前記一部が復元することにより前記孔から導出される前記配線で支承されることを特徴とする。また、前記スリットのスリット幅は、前記配線の径より幅狭に形成されることを特徴とする。また、前記カバーは、上下の面、及び、左右の面がそれぞれ対称に形成されていることを特徴とする。
【０００７】
また、本発明は、筐体内を熱交換室と機械室とに区分けする縦に延びた仕切り板を備え、前記熱交換室に熱交換器及び送風機を収容し、前記機械室に圧縮機及び電装ユニットを収容した空気調和装置の室外ユニットにおいて、前記筐体の外板に通風口を形成し、前記通風口から導入した空気を前記電装ユニットの背面側に流し、前記電装ユニットに、前記空気の流れに平行な支持板を設け、前記支持板から前記空気の風路上に突出され、電気配線される電気部品に該電気部品側から電気部品を覆うように装着されると共に、前記電気部品に接続される配線が導出される孔と、前記電気部品への装着時に前記孔に前記配線を案内するスリットと、を備え、前記スリットを介しての前記孔への配線の導入時には該スリット側方の一部が弾性変形し、前記孔への配線の導入後には前記一部が復元することにより前記孔から導出される前記配線で支承されるカバーを設けたことを特徴とする。
【発明の効果】
【０００８】
本発明によれば、支持板に固定され、電気配線される電気部品に該電気部品側から電気部品を覆うように装着されると共に、前記電気部品に接続される配線が導出される孔と、前記電気部品への装着時に前記孔に前記配線を案内するスリットと、を備え、前記スリットを介しての前記孔への配線の導入時には該スリット側方の一部が弾性変形し、前記孔への配線の導入後には前記一部が復元することにより前記孔から導出される前記配線で支承されるため、配線の接続位置を開口部に臨ませることなく配線を接続することができるとともに、カバーを孔から導出される配線で支承することができ、電気部品の接点への塵や埃の付着を防止し、カバーの脱着を容易に行って電気部品のメンテナンス性を向上することができる。
【図面の簡単な説明】
【０００９】
【図１】本発明の一実施形態に係る室外ユニットの外観斜視図である。
【図２】室外ユニットの内部構成を示す斜視図である。
【図３】室外ユニットの背面側の内部構成の斜視図である。
【図４】電装ユニットを示す斜視図である。
【図５】マグネットスイッチにカバーを取り付けた状態を示す電装ユニットの斜視図である。
【図６】カバーの斜視図である。
【図７】カバーの展開図である。
【発明を実施するための形態】
【００１０】
以下、図面を参照して本発明の実施形態を詳述する。
本実施形態に係る空気調和装置は、室外ユニット１０と室内ユニット（不図示）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１１】
図１は、室外ユニット１０の斜視図である。この室外ユニット１０は、略直方体箱形状のユニットケース（筐体）１１を備え、ユニットケース１１は、底板１２、天井パネル１３、前面パネル１４および外板１５を備えている。ユニットケース１１の内部は、底板１２に立設された後述する仕切り板６０によって縦に仕切られ、熱交換室Ｒ１と機械室Ｒ２とに区分けされている。前面パネル１４は、仕切り板６０を境に左右に二分割された第１前面パネル１４Ａと第２前面パネル１４Ｂとから構成される。第１前面パネル１４Ａを取り外すことによって、作業者は室外ユニット１０の前面側から熱交換室Ｒ１内の部品のメンテナンス作業を行うことができ、第２前面パネル１４Ｂを取り外すことによって、作業者は室外ユニット１０の前面側から機械室Ｒ２内の部品のメンテナンス作業を行うことができる。
【００１２】
また、熱交換室Ｒ１側の第１前面パネル１４Ａには、熱交換室Ｒ１内部で熱交換された空気が吹き出す２つの吹出口２８，２８が上下方向に並べて形成されている。吹出口２８，２８は、それぞれ網状のファンガード２９により覆われている。図示は省略したが、吹出口２８，２８は、例えば、丸形フランジ形状のファン覆い部で覆われ、ファン覆い部の開口部内に後述する送風機２２が設けられる。
【００１３】
図２は、天井パネル１３、前面パネル１４、及び、外板１５を取り外した状態の室外ユニット１０の斜視図である。ユニットケース１１内は、底板１２に立設する仕切り板６０で、熱交換室Ｒ１と、機械室Ｒ２と、に区分けされる。熱交換室Ｒ１には、図２に示すように、その背面側に熱交換器２１が収容され、その前面側に上下方向に並べて配置された送風機２２，２２が収容される。熱交換器２１は、上面視略Ｌ字形状に屈曲されて形成され、熱交換室Ｒ１の左側面（外側面）から背面に沿わせて配置されている。このように、熱交換器２１は熱交換室Ｒ１（すなわちユニットケース１１）の左側面及び背面を形成し、この左側面から背面にかけての露出面全体が通風路（吸込口）として機能する。また、図示は省略したが、熱交換器２１の表面は、この熱交換器２１への人体などの接触を防止するため、樹脂性のネットなどからなるフィンガードで覆われている。
【００１４】
送風機２２は、熱交換室Ｒ１内に配置された左右一対の支柱２４Ｌ、２４Ｒに取り付けられている。これら支柱２４Ｌ、２４Ｒは、当該支柱２４Ｌ、２４Ｒの上端部をそれぞれ熱交換器２１の上縁部に引掛けるとともに、当該支柱２４Ｌ、２４Ｒの下端部は底板１２にねじ止めにより固定されている。
【００１５】
送風機２２は、支柱２４Ｌ、２４Ｒの上部に台座２５を介して固定されたファンモータ２６と、このファンモータ２６の軸に取り付けられたプロペラファン（軸流ファン）２７とから構成され、このプロペラファン２７が熱交換室Ｒ１の前面側に近接配置される。ファンモータ２６によりプロペラファン２７が回転駆動されると、室外ユニット１０の周囲、より具体的には、熱交換器２１の背面側および左側面側から外気が熱交換室Ｒ１内に吸い込まれ、熱交換器２１内を流れる冷媒と熱交換し、熱交換室Ｒ１の前面に設けられた吹出口２８，２８通って室外ユニット１０外に排出される。つまり、この室外ユニット１０は、前面から熱交換後の空気を吹き出す前面吹き出しタイプに構成されている。
【００１６】
また、機械室Ｒ２には、冷媒回路の一部を構成する圧縮機３１、アキュムレータ３２および四方弁３３や膨張弁（不図示）といった弁体などの冷媒回路構成部品が配管接続され、当該機械室Ｒ２の略下方空間内に収容される。
本構成では、圧縮機３１とアキュムレータ３２とは、機械室Ｒ２内に上下方向に並べて配置されている。具体的には、圧縮機３１は底板１２上に設置され、この圧縮機３１の上方でアキュムレータ３２は仕切り板６０に取り付けられている。これによって機械室Ｒ２内における圧縮機３１及びアキュムレータ３２の設置スペースを小さく抑えることができる。
【００１７】
また、機械室Ｒ２の前面側における略中間位置には支持片３６が配置され、この支持片３６には、ガス管用サービスバルブ３７と液管用サービスバルブ３８とが固定されている。これらガス管用サービスバルブ３７及び液管用サービスバルブ３８には、室内ユニットから延びるユニット配管のガス管及び液管（不図示）がそれぞれ接続され、これにより、冷媒を循環する冷媒回路が構成される。
【００１８】
仕切り板６０は、仕切り板本体１６と、この仕切り板本体１６の上部に連結される電装ユニット４０によって構成される。電装ユニット４０は、機械室Ｒ２の上方空間に配置され、空気調和装置を制御する制御基板などの各種電装品が実装されている。この電装ユニット４０は、仕切り板本体１６の上部に延在する第１支持板（支持板）４１と、この第１支持板４１に取り付けられる第２支持板４２とを備えて構成され、これら第１支持板４１及び第２支持板４２に基板等の電装品が配置されている。第１支持板４１は、仕切り板本体１６と略同一の幅を有し、この仕切り板本体１６の上部に配置されることにより、当該仕切り板１６と協働して熱交換室Ｒ１と機械室Ｒ２とを区分けする機能を有する。
【００１９】
また、第１支持板４１の機械室Ｒ２側には、電装ユニット４０と一体に、ヒートシンク５５が備えられる。ヒートシンク５５は、電装ユニット４０が備えるインバータ回路などの比較的発熱量が多い電装品で生じた熱を放出するために設けられる。ヒートシンク４４は、複数のフィンを構成する金属板を左右に間隔をあけて配列した構成を備える。第１支持板４１の熱交換室Ｒ１側には、ヒートシンク４４を覆うカバー体４５が配置されている。このカバー体４５は、金属板を折り曲げて形成され、上部及び下部には、ヒートシンク４４のフィンと熱交換する冷却空気が通過する開口４５Ａが形成されている。
【００２０】
仕切り板本体１６は、熱交換室Ｒ１と機械室Ｒ２との間に配置されて当該熱交換室Ｒ１と機械室Ｒ２とを区分けする仕切り板本体部（仕切り板本体）１６Ｂと、この仕切り板本体部１６Ｂの前面側の側縁部を機械室Ｒ２側に折り曲げて形成した前面部（端部）１６Ｃと、仕切り板本体部１６Ｂの背面側の側縁部を機械室Ｒ２側に、上記前面部１６Ｃと略平行に折り曲げて形成した背面部（端部）１６Ｄと、仕切り板本体部１６Ｂの上縁部を機械室Ｒ２側に折り曲げて形成した上面部（上端面）１６Ａとを備える。仕切り板本体１６は、薄い板金を上記のように折り曲げて形成され、仕切り板本体１６の剛性（強度）の向上を図っている。仕切り板本体１６は、底板１２に立設し、背面部１６Ｄを熱交換器２１にねじ止めして固定される。
【００２１】
次に、電装ユニット４０について説明する。電装ユニット４０は、仕切り板本体１６の上部に延在する第１支持板（支持板）４１と、この第１支持板４１に取り付けられる第２支持板４２と、この第２支持板４２に取り付けられる第３支持板４３と、を備える。第３支持板４３には複数の接続端子を備える端子台４６Ａ，４６Ｂが備えられる。端子台４６Ａには、室外ユニット１０に電源を供給する電源線が接続される。端子台４６Ｂには、室外ユニット１０と、不図示の室内ユニット間の通信を可能とする通信線が接続される。第３支持板４３には、図示は省略したが、これらの電源線、或いは、通信線を支持する複数のクリップが取り付けられる。また、第２支持板４２の前方には、電装ユニットカバー４４が設けられる。電装ユニットカバー４４は、前面パネル１４Ｂを取り外して機械室Ｒ２のメンテナンスを行う際等に、第２支持板４２に取り付けられる基板などの電装品を保護する役割を果たす。
【００２２】
電装ユニット４０の背面側には、図３に示すように、インバータ用のリアクタ８０と、室外ユニット１０が備える送風機２２、或いは、圧縮機３１の駆動モータの電源のオン／オフの切り替えを行うマグネットスイッチ９０と、が第２支持板４２にねじ等によって固定されて取り付けられる。図示は省略したが、外板１５には、外気を取り込むための通風用開口が設けられ、リアクタ８０、及び、マグネットスイッチ９０は、この通風用開口から機械室Ｒ２に取り込まれる空気によって冷却される。外板１５に設けられた通風用開口から機械室Ｒ２に取り込まれた空気は、電装ユニット４０の上方から、ヒートシンク４４を覆うカバー体４５の開口４５Ａを通って、熱交換室Ｒ１側に流れ込み、熱交換室Ｒ１の前面に設けられた吹出口２８，２８から排気される。
【００２３】
第２支持板４２の背面側に取り付けられるマグネットスイッチ９０は、図４に示されるように、配線が接続される接続端子が複数設けられ、各接続端子のうち、所定の接続端子が、第２支持板４２の前面側に取り付けられるハイブリッドＩＣ（ＨＩＣ）等の基板に、配線を介して接続される。ところで、上述のように、マグネットスイッチ９０は、機械室Ｒ２に取り込まれ、電装ユニット４０の背面側を流れる空気によって冷却される。そのため、マグネットスイッチ９０の周囲では下方から上方に向かって吹き上げられるように空気が流れ、この空気の流れによって、マグネットスイッチ９０の周囲に塵や埃が舞い上がる場合がある。本実施形態では、図５に示すように、マグネットスイッチ９０の周囲を塵埃保護カバー（カバー）１００で囲み、これらの塵や埃がマグネットスイッチ９０の配線の接点に付着するのを防いでいる。
【００２４】
塵埃保護カバー１００は、マグネットスイッチ９０だけではなく、例えば、電装ユニット４０が備える端子台４６Ａ，４６Ｂ等のように、電気配線される電気部品に装着して、当該電気部品の接点への塵や埃の付着を防ぐために好適に用いることができる。本実施形態では、本実施形態の室外ユニット１０の構成に基づいて、特に塵や埃の影響が考えられる電装ユニット４０の背面側に配設された電気部品であるマグネットスイッチ９０に塵埃保護カバー１００を装着する形態について説明する。
【００２５】
図６は、塵埃保護カバー１００の斜視図であり、図７は、塵埃保護カバー１００を形成するカバー部材１０１の展開図である。塵埃保護カバー１００は、例えば半透明、或いは、透明な樹脂で略矩形の箱型に形成され、上面１００Ａ、下面１００Ｂ、側面１００Ｃ，１００Ｄ、及び、背面１００Ｅを有する。また、背面１００Ｅと対向する前面側は開口し、前面開口部１００Ｆが形成される。塵埃保護カバー１００は、前面開口部１００Ｆを介して、塵埃保護カバー１００の内部にマグネットスイッチ９０を収容し、マグネットスイッチ９０の周囲を囲むように取り付けられる。
【００２６】
塵埃保護カバー１００の上面１００Ａ、及び、下面１００Ｂには、マグネットスイッチ９０の接点に接続されるケーブル（配線）９１（図５参照）が導出されるケーブル孔１０４，１０４と、前面開口部１００Ｆから、各ケーブル孔１０４に連通し、互いに略平行のスリット１０５Ａとが設けられる。スリット１０５Ａは、マグネットスイッチ９０への塵埃保護カバー１００の装着時に、ケーブル孔１０４にケーブル９１を案内するために設けられ、スリット１０５Ａのスリット幅は、ケーブル孔１０４に導入されるケーブルの径よりも幅狭に形成されている。また、ケーブル孔１０４の大きさは、ケーブル孔１０４から導出されるケーブル９１の径と略同じ大きさに形成されている。
【００２７】
また、上面１００Ａ、及び、下面１００Ｂには、ケーブル孔１０４から、近傍の側面に向かって斜めに背面１００Ｅ側に延出する切り込み１０５Ｂが設けられる。これによって、上面１００Ａ、及び、下面１００Ｂには、左右対称に形成されたスリット１０５Ａ、ケーブル孔１０４、及び、切り込み１０５Ｂによって、舌部１０６が設けられる。舌部１０６は、先端部１０６Ａが前面開口部１００Ｆより後方側に配置されるように形成され、先端部１０６Ａの前方には、塵埃保護カバー１００がマグネットスイッチ９０に取り付けられたさいに、先端部１０６Ａと第２支持板４２の背面との間に間隙Ｇが形成され、この間隙Ｇによって、塵埃保護カバー１００の上方、及び、下方空間に連通する上面開口部１０６Ｂと、下面開口部１０６Ｃとが設けられる。
【００２８】
塵埃保護カバー１００は、図７に示すように、一枚の板状の樹脂材を予め狙った形状に形成された型を用いてパンチプレス等によって切り抜いて形成されたカバー部材１０１を組み立てて形成される。カバー部材１０１には、予め筋目１０７が形成され、カバー部材１０１は、この筋目１０７に沿って容易に折り曲げることができ、この筋目１０７に沿って折り曲げることで、図６に示した箱状の塵埃保護カバー１００を形成することができる。
【００２９】
カバー部材１０１は、塵埃保護カバー１００の背面１００Ｅを形成する背面形成部１０１Ａと、塵埃保護カバー１００の側面１００Ｃ、或いは、側面１００Ｄを形成する側面形成部１０１Ｂと、塵埃保護カバー１００の上面１００Ａ、或いは、下面１００Ｂを形成する上下面形成部１０１Ｃと、を備える。上下面形成部１０１Ｃには、カバー部材１０１を筋目１０７にそって折り曲げたさいに、側面形成部１０１Ｂの内面に当接し、側面形成部１０１Ｂとともに、塵埃保護カバー１００の側面１００Ｃ、或いは、側面１００Ｄの一部を形成すると共に、上下面形成部１０１Ｃと、側面形成部１０１Ｂとを連結させる連結部１０８が設けられる。
【００３０】
また、側面形成部１０１Ｂには、連結部１０８に設けられる爪部１０２が嵌入される略楕円形状に形成される嵌入孔１０３が設けられる。塵埃保護カバー１００は、カバー部材１０１を折り曲げて、この爪部１０２を、嵌入孔１０３に嵌入させることで、略矩形箱状に保持される、つまり、爪部１０２と、嵌入孔１０３とは、塵埃保護カバー１００を略矩形箱状に保持する保持具として用いられる。
【００３１】
爪部１０２は、嵌入孔１０３に嵌合する首部１０２Ａを備え、嵌入孔１０３の長径Ｌ２と、首部１０２Ａの幅Ｌ１とは、略同じ寸法に形成されている。また、爪部１０２は、首部１０２Ａの両外側に向かって突出する引掛け部１０２Ｂ，１０２Ｂを備える。爪部１０２を嵌入孔１０３に嵌入させて、上下面形成部１０１Ｃと、側面形成部１０１Ｂとを連結するさいには、連結部１０８を側面形成部１０１Ｂの内側に配置し、爪部１０２を嵌入孔１０３を介して、側面形成部１０１Ｂの内側から外側に、爪部１０２をわずかに湾曲させて引き出す。これによって、引掛け部１０２Ｂ，１０２Ｂは、側面形成部１０１Ｂの外側に、嵌入孔１０３に引っ掛けられた状態で係止され、嵌入孔１０３には、首部１０２Ａが嵌合される。これによって、爪部１０２は、嵌入孔１０３から容易に外れることがなく、また、ねじ等の固定具を用いることなく、上下面形成部１０１Ｃと、側面形成部１０１Ｂとを連結させて、塵埃保護カバー１００を箱型に形成することができる。
【００３２】
本実施形態では、嵌入孔１０３は、縦長であり、側面形成部１０１Ｂに一直線状に上下に並べて配設され、爪部１０２を、塵埃保護カバー１００の取り付け方向と略平行に嵌入孔１０３を介して引き出す構成としたが、これに限らず、嵌入孔１０３は、横長に形成され、上下の爪部１０２が互いに対向し、塵埃保護カバー１００の取り付け方向と略直角に嵌入孔１０３を介して引き出される構成としても良い。
【００３３】
次に、塵埃保護カバー１００を、図５に示すように、第２支持板４２の背面側に取り付けられるマグネットスイッチ９０を囲むように装着するときの、装着方法について説明する。塵埃保護カバー１００は、図６に示したように、カバー部材１０１を組み立てて、前面側に前面開口部１００Ｆを有する略矩形の箱形状に形成される。塵埃保護カバー１００は、この前面開口部１００Ｆを介して、図４に示したマグネットスイッチ９０側からマグネットスイッチ９０を覆うようして、塵埃保護カバー１００に装着され、マグネットスイッチ９０を内部に収容する。マグネットスイッチ９０には、所定の接点にケーブル（配線）９１が接続されおり、これらのケーブル９１は、マグネットスイッチ９０への塵埃保護カバー１００の装着時には、スリット１０５Ａに案内されて、ケーブル孔１０４に導入される。
【００３４】
塵埃保護カバー１００の上面１００Ａ、及び、下面１００Ｂには、それぞれ切り込み１０５Ｂが設けられるため、塵埃保護カバー１００の装着時には、両側面１００Ｃ，１００Ｄを外側に押し広げるようにして、塵埃保護カバー１００を弾性変形させて、スリット１０５Ａのスリット幅を広げることができ、ケーブル９１が太い場合、或いは、複数本纏められている場合であっても、容易に、スリット１０５Ａを介して、ケーブル９１をケーブル孔１０４から導出させることができる。また、スリット１０５Ａを介してのケーブル孔１０４へのケーブル９１の導入時には、スリット１０５Ａ側方に位置する舌部１０６が塵埃保護カバー１００の外側に押し上げられる、或いは、塵埃保護カバー１００の内側に押し下げられて弾性変形するため、よりスリット１０５Ａのスリット幅を広げることができ、容易に、スリット１０５Ａを介して、ケーブル９１をケーブル孔１０４に導入させることができる。また、舌部１０６は、ケーブル孔１０４へケーブル９１が導入された後には、元の位置に復元するため、舌部１０６によって、塵埃保護カバー１００の上面１００Ａ、及び、下面１００Ｂからの塵や埃の浸入と、接点への塵や埃の付着を防止することができる。
【００３５】
また、上述したように、スリット１０５Ａのスリット幅は、ケーブル孔１０４に導入されるケーブルの径よりも幅狭に形成されているため、ケーブル孔１０４にケーブル９１が導入され、塵埃保護カバー１００が弾性変形から復元した後には、ケーブル９１がスリット１０５Ａを介して外れることがなく、塵埃保護カバー１００をねじ等の締結具を用いて固定することなく、安定して支承させることができる。さらに、ケーブル孔１０４の大きさは、ケーブル孔１０４から導出されるケーブル９１の径と略同じ大きさに形成されているため、ケーブル孔１０４から塵や埃が塵埃保護カバー１００内に侵入するのを防ぐことができ、マグネットスイッチ９０の接点への塵や埃の付着を防止することができる。
【００３６】
このようにして、塵埃保護カバー１００の上面１００Ａ、及び、下面１００Ｂにそれぞれ２つずつ設けられたケーブル孔１０４からは、マグネットスイッチ９０の接点に接続されたケーブル９１が導出されるため、塵埃保護カバー１００は、このケーブル９１によって支承され、所望する姿勢を維持させることができる。そのため、塵埃保護カバー１００は、ねじ等の固定具を用いて第２支持板４２の背面等に固定する必要がなく、マグネットスイッチ９０の周囲を覆うように、着脱自在に所望する姿勢を維持させて支承させることができるため、塵埃保護カバー１００の着脱時の作業性を向上することができる。また、塵埃保護カバー１００は、上下、及び、左右が対称に形成されているため、取り付ける方向を気にすることなく取り付けることができ、作業性を向上することができる。
【００３７】
ところで、マグネットスイッチ９０には、図４に示すように、上段９０Ａと、下段９０Ｂとの２段に分かれて配線が接続される接点が備えられている。塵埃保護カバー１００をマグネットスイッチ９０に取り付ける際に、上段９０Ａに設けられた接点に接続される配線は、上述のように、スリット１０５Ａを介して、ケーブル孔１０４から導出される。室外ユニット１０が高出力の場合等には、の上段９０Ａだけではなく、下段９０Ｂに設けられた接点にもケーブル９１が接続されるが、下段９０Ｂに設けられた接点に接続されたケーブル９１は、図示は省略したが、舌部１０６の先端部１０６Ａと、第２支持板４２の背面との間に形成される間隙Ｇから上方、或いは、下方に引き出されて、第２支持板４２の前面側に取り付けられた基板に接続される。また、下段９０Ｂに設けられた接点の上方、或いは、下方は、舌部１０６によって覆われ、これらの接点に塵や埃が付着するのを防ぐことができる。
【００３８】
また、マグネットスイッチ９０が発した熱は、舌部１０６の先端部１０６Ａと、第２支持板４２の背面との間に形成される隙間から塵埃保護カバー１００の外に排出することができる。さらに、ユニットケース１１の外板１５に設けられた不図示の通風用開口から機械室Ｒ２内に取り込まれ、電装ユニット４０の背面側を下から上に吹き上げられるように流れる空気を、塵埃保護カバー１００の上方、及び、下方空間に連通する上面開口部１０６Ｂと、下面開口部１０６Ｃを介して塵埃保護カバー１００内に誘引することができる。これによって、塵埃保護カバー１００でマグネットスイッチ９０の配線が接続される接点に塵や埃が付着するのを防ぐことができると共に、マグネットスイッチ９０が発した熱を効率よく放熱させることができる。
【００３９】
以上説明したように、本発明を適用した実施形態によれば、塵埃保護カバー（カバー）１００は、第２支持板４２に固定されるマグネットスイッチ（電気部品）９０にマグネットスイッチ９０側からマグネットスイッチ９０を覆うように装着されると共に、マグネットスイッチ９０に接続されるケーブル９１が導出されるケーブル孔（孔）１０４と、マグネットスイッチ９０への装着時に孔１０４にケーブル９１を案内するスリット１０５Ａと、を備え、スリット１０５Ａを介しての孔１０４へのケーブル９１の導入時にはスリット１０５Ａ側方の舌部（一部）１０６が弾性変形し、孔１０４へのケーブル９１の導入後には舌部１０６が復元することにより孔１０４から導出されるケーブル９１で支承される。これにより、塵埃保護カバー１００は、ねじ等の締結具を用いて固定することなく、ケーブル孔１０４から導出されるケーブル９１によって支承させることができるため、着脱を容易に行うことができ、メンテナンス性を向上することができる。また、ケーブル９１をスリット１０５Ａを介してケーブル孔１０４に案内する際には、スリット１０５Ａ側方の舌部１０６が弾性変形するため、ケーブル９１を容易にケーブル孔１０４に導入させることができる。さらに、舌部１０６は、ケーブル９１がケーブル孔１０４から導入された後には元の位置に復元するため、舌部１０６が形成された塵埃保護カバー１００の上下の面１００Ａ，１００Ｂからの内部への塵や埃の浸入の防ぐことができる。
【００４０】
また、本発明を適用した実施形態によれば、スリット１０５Ａのスリット幅は、ケーブル９１の径より幅狭に形成されるため、ケーブル孔１０４にケーブル９１が導入され、塵埃保護カバー１００が弾性変形から復元した後には、ケーブル９１がスリット１０５Ａを介して外れることがなく、塵埃保護カバー１００をねじ等の締結具を用いて固定することなく、安定して支承させることができる。
【００４１】
また、本発明を適用した実施形態によれば、塵埃保護カバー１００は、スリット１０５Ａの反対側にケーブル孔１０４から延出する切り込み１０５Ｂを備えるため、塵埃保護カバー１００の脱着時には、この切り込み１０５Ｂによって塵埃保護カバー１００を外側に押し広げるようにして変形させて、スリット１０５Ａのスリット幅を広げることができるため、ケーブル９１を容易にスリット１０５Ａに案内させてケーブル孔１０４に導入することができ、塵埃保護カバー１００の脱着を容易に行うことができるため、メンテナンス性を向上することができる。
【００４２】
また、本発明を適用した実施形態によれば、塵埃保護カバー１００は、一枚の板状の樹脂材から成るカバー部材１０１を略矩形箱型に折り曲げて形成され、カバー部材１０１に塵埃保護カバー１００を略矩形箱型に保持する保持具を一体に形成し、保持具は、爪部１０２と、爪部１０２が嵌入される嵌入孔１０３とから成り、爪部１０２に、嵌入孔１０３に引掛けられる引掛け部１０２Ｂを設けたため。これにより、カバー部材１０１は、一枚の板状の樹脂材を予め狙った形状に切り抜いて簡単に形成することができる。また、カバー部材１０１は樹脂材から形成されているため、工具等を用いることなく簡単に手で折り曲げることができる。また、カバー部材１０１に塵埃保護カバー１００を略矩形箱型に保持する保持具を構成する爪部１０２、及び、嵌入孔１０３を一体に形成したため、塵埃保護カバー１００は、接着材等を用いて形状を保持することなく、簡単に製作することができる。また、カバー部材１０１は、樹脂材から形成されているため、軽量である。また、塵埃保護カバー１００は、樹脂材から形成されているため、側面を手で外側に押し広げるようにして簡単に弾性変形させることができ、脱着時の作業性が向上する。また、塵埃保護カバー１００の取り付け時などに、塵埃保護カバー１００を弾性変形させても、嵌入孔１０３に引掛け部１０２Ｂが引っ掛かるため、嵌入孔１０３から爪部１０２が外れることがなく、取付作業を容易に行うことができるため、メンテナンス性が向上する。
【００４３】
また、本発明を適用した実施形態によれば、塵埃保護カバー１００は、上下の面１００Ａ，１００Ｂ、及び、左右の側面１００Ｃ，１００Ｄがそれぞれ対称に形成されているため、塵埃保護カバー１００は、上下、或いは、左右の方向性を気にすることなく取り付けることができ、塵埃保護カバー１００の取付間違い等がなく、作業性を向上することができる。
【００４４】
また、本発明を適用した実施形態によれば、ユニットケース１１内を熱交換室Ｒ１と機械室Ｒ２とに区分けする縦に延びた仕切り板１６を備え、熱交換室Ｒ１に熱交換器２１び送風機２２を収容し、機械室Ｒ２に圧縮機３１及び電装ユニット４０を収容した空気調和装置の室外ユニット１０において、ユニットケース１１の外板１５に通風口を形成し、通風口から導入した空気を電装ユニット４０の背面側に流し、電装ユニット４０に、空気の流れに平行な第２支持板４２を設け、第２支持板４２から空気の風路上に突出されるマグネットスイッチ９０にマグネットスイッチ９０側からマグネットスイッチ９０を覆うように装着されると共に、マグネットスイッチ９０に接続されるケーブル９１が導出されるケーブル孔１０４と、マグネットスイッチ９０への装着時にケーブル孔１０４にケーブル９１を案内するスリット１０５Ａと、を備え、スリット１０５Ａを介してのケーブル孔１０４へのケーブル９１の導入時にはスリット１０５Ａ側方の舌部１０６が弾性変形し、ケーブル孔１０４へのケーブル９１の導入後には舌部１０６が復元することによりケーブル孔１０４から導出されるケーブル９１で支承される塵埃保護カバー１００を設けた。これにより、機械室Ｒ２の内部を流れる空気の流れによって電装ユニット４０の周りに塵や埃がまっても、これらの塵や埃がマグネットスイッチ９０の接点に付着するのを防止することができる。また、マグネットスイッチ９０のメンテナンス時には容易に塵埃保護カバー１００の着脱を行うことができるため、メンテナンス性が向上する。
【００４５】
以上、実施形態に基づいて本発明を説明したが、本発明はこれに限定されるものではない。本実施形態では、塵埃保護カバー１００は、第２支持板４２の背面側に取り付けられたマグネットスイッチ９０を囲って、マグネットスイッチ９０の接点に塵や埃が付着するのを防ぐ構成としたが、これに限らず、塵埃保護カバー１００は、マグネットスイッチ９０以外にも、例えば、電装ユニット４０の前面側に設けられた電気配線される端子台４６Ａ、或いは、通信線が接続される端子台４６Ｂを覆うように装着され、これらの端子台４６Ａ，４６Ｂを塵や埃から保護する構成であっても良い。
【符号の説明】
【００４６】
Ｒ１  熱交換室
Ｒ２  機械室
１０  室外ユニット
１１  ユニットケース（筐体）
１２  底板１２
１５  外板
２１  熱交換器
２２  送風機
３１  圧縮機
４０  電装ユニット
４２  第２支持板（支持板）
９０  マグネットスイッチ（電気部品）
９１  ケーブル（配線）
１００  塵埃保護カバー（カバー）
１０１  カバー部材（部材）
１０２  爪部
１０２  首部
１０２Ｂ  引掛け部
１０３  嵌入孔
１０４  ケーブル孔（孔）
１０５Ａ  スリット
１０５Ｂ  切り込み
１０６  舌部（一部）
【図１】
0005879534.tif 000002
【図２】
0005879534.tif 000003
【図３】
0005879534.tif 000004
【図４】
0005879534.tif 000005
【図５】
0005879534.tif 000006
【図６】
0005879534.tif 000007
【図７】
0005879534.tif 000008